(57)【要約】  断熱ガラス・ユニットを１つ又は複数の断熱ガス（例えば、アルゴン及びクリプトン・ガス）で充填するための方法及び装置。断熱ガスは、断熱ガラス・ユニットの１つ又は複数の窓ガラス間空間に挿入されたガス充填管に供給される。各窓ガラス間空間は、２つ以上の断熱ガスで充填してもよい。制御ユニットが断熱ガスの注入を、制御ユニットが受信したガス充填データに従って制御する。【特許請求の範囲】
【請求項１】
１つ又は複数の断熱ガラス・ユニットに少なくとも１つの断熱ガスを充填する方法であって、各々の前記断熱ガラス・ユニットが、スペーサーによって隔てられた隣り合うガラス板によって画定された少なくとも１つの窓ガラス間空間を有する、方法において、
前記１つ又は複数の断熱ガラス・ユニットの各々の前記窓ガラス間空間にそれぞれのガス充填管を挿入する段階と、
前記１つ又は複数の断熱ガラス・ユニットの各窓ガラス間空間に充填する前記断熱ガスの量を決めるためのガス充填データを制御ユニットに与える段階と、
前記制御ユニットを使用して、前記ガス充填管への断熱ガスの流れを制御する段階であって、前記断熱ガスの流れが、前記制御ユニットによって、前記ガス充填データに従った前記断熱ガスの量が与えられるように制御される、段階と、
前記ガス充填データに従って各々の前記窓ガラス間空間に断熱ガスを充填した後に、前記それぞれのガス充填管を各々の前記窓ガラス間空間から外す段階と、
前記１つ又は複数の断熱ガラス・ユニットの、各々の前記窓ガラス間空間を密封する段階と
を含む方法。
【請求項２】
各々の前記１つ又は複数の断熱ガラス・ユニットにそれぞれ関連付けられたユニット識別子を前記制御ユニットに与える段階をさらに含み、
前記制御ユニットが、前記ユニット識別子を使用して前記ガス充填データを取得する、請求項１に記載の方法。
【請求項３】
前記１つ又は複数の断熱ガラス・ユニットを保持用ラックの１つ又は複数のそれぞれの保持位置にそれぞれ設置する段階であって、各保持位置が、各保持位置に関連付けられた少なくとも１つのガス充填管を有する、段階と、
前記保持用ラックに関連付けられた位置識別子を前記制御ユニットに与える段階であって、各位置識別子が断熱ガラス・ユニットを保持する保持位置を特定する、段階とをさらに含み、
前記制御ユニットは、前記位置識別子を使用して、いずれのガス充填管に断熱ガスを供給するかを決める、請求項１に記載の方法。
【請求項４】
複数の断熱ガラス・ユニットの前記窓ガラス間空間が同時に前記断熱ガスで充填される、請求項１に記載の方法。
【請求項５】
前記保持用ラックが可動である、請求項１に記載の方法。
【請求項６】
前記可動である保持用ラックが軸線の周りに回転する、請求項５に記載の方法。
【請求項７】
前記制御ユニットは、タイマーを使用して、前記ガス充填管への断熱ガスの流れをいつ止めるかを決める、請求項１に記載の方法。
【請求項８】
前記断熱ガスは、アルゴン・ガス及びクリプトン・ガスを含む、請求項１に記載の方法。
【請求項９】
少なくとも１つの前記断熱ガラス・ユニットが、第１及び第２の窓ガラス間空間を有し、前記第１の窓ガラス間空間が、アルゴン・ガスで充填され、前記第２の窓ガラス間空間が、クリプトン・ガスで充填される、請求項１に記載の方法。
【請求項１０】
少なくとも１つの前記断熱ガラス・ユニットが、アルゴン・ガス及びクリプトン・ガスの組み合わせを充填される窓ガラス間空間を有する、請求項１に記載の方法。
【請求項１１】
前記断熱ガスの１つを供給するためのガス供給源の重量を監視する段階をさらに含み、
前記重量の変化が、前記ガス供給源から放出された断熱ガスの量を示す、請求項１に記載の方法。
【請求項１２】
１つ又は複数の断熱ガラス・ユニットを少なくとも１つの断熱ガスで充填する装置であって、各々の前記断熱ガラス・ユニットが、スペーサーによって隔てられた隣り合うガラス板によって画定された少なくとも１つの窓ガラス間空間を有する、装置において、
それぞれ断熱ガラス・ユニットを保持するための複数の保持位置を有する保持用ラックと、
１つ又は複数の断熱ガスの供給源と、
前記１つ又は複数の断熱ガスの供給源と流体連通できる複数のガス充填管であって、各保持位置と１つ又は複数のガス充填管が関連付けられている、ガス充填管と、
前記断熱ガラス・ユニットの前記窓ガラス間空間の各々を充填する量の前記断熱ガスを前記複数のガス充填管に供給するようにプログラムされた制御ユニットであって、ガス充填データを使用して、前記断熱ガラス・ユニットの各々の前記窓ガラス間空間を充填する前記断熱ガスの量を決める、制御ユニットと
を備える装置。
【請求項１３】
前記保持用ラックが可動である、請求項１２に記載の装置。
【請求項１４】
前記可動の保持用ラックを軸線の周りに回転させるモーターをさらに備える、請求項１３に記載の装置。
【請求項１５】
前記制御ユニットは、各々の前記１つ又は複数の断熱ガラス・ユニットと関連付けられたユニット識別子を受け取り、前記制御ユニットは、前記ユニット識別子を使用して前記ガス充填データを取得する、請求項１２に記載の装置。
【請求項１６】
前記制御ユニットは、前記保持用ラックの保持位置とそれぞれ関連付けられた位置識別子を受け取り、各位置識別子は、一意の保持位置を特定する、請求項１２に記載の装置。
【請求項１７】
ユニット識別子及び位置識別子を読み取るための走査装置であって、前記ユニット識別子及び前記位置識別子を前記制御ユニットに通知する、走査装置をさらに備え、前記ユニット識別子が断熱ガラス・ユニットを特定し、前記位置識別子が前記断熱ガラス・ユニットを保持する保持位置を特定する、請求項１２に記載の装置。
【請求項１８】
前記複数のガス充填管を前記１つ又は複数の断熱ガス供給源と流体連通する複数の弁部材をさらに備える、請求項１２に記載の装置。
【請求項１９】
前記断熱ガスを前記ガス充填管に送り届けるための少なくとも１つのマニホルドをさらに備える、請求項１２に記載の装置。
【請求項２０】
前記断熱ガス供給源の１つの重量を測定するための電子重量計であって、前記測定された重量が、前記断熱ガス供給源での前記断熱ガスの使用量を監視するのに使用される、電子重量計をさらに備える、請求項１２に記載の装置。
【請求項２１】
断熱ガラス・ユニットの第１窓ガラス間空間を複数の断熱ガスで充填する方法であって、
前記断熱ガラス・ユニットの前記第１窓ガラス間空間に第１ガス充填管を挿入する段階と、
前記複数の断熱ガスの各々を前記第１窓ガラス間空間に充填するそれぞれの量を決めるためのガス充填データを制御ユニットに与える段階と、
前記制御ユニットを使用して前記複数の断熱ガスの各々の前記第１ガス充填管への流れを順に制御する段階であって、前記複数の断熱ガスの各々の前記流れが、前記制御ユニットによって、前記複数の断熱ガスの各々の前記ガス充填データに従った量をそれぞれ与えるように制御される、段階と、
前記第１ガス充填管を前記第１窓ガラス間空間から外す段階と、
前記断熱ガラス・ユニットの前記第１窓ガラス間空間を密封する段階と
を含む方法。
【請求項２２】
前記複数の断熱ガスがアルゴン・ガス及びクリプトン・ガスである、請求項２１に記載の方法。
【請求項２３】
前記制御ユニットが、前記第１窓ガラス間空間をアルゴン・ガスで最初に充填し、その後、前記第１窓ガラス間空間をクリプトン・ガスで充填するように、前記アルゴン・ガス及び前記クリプトン・ガスの流れを順に制御する、請求項２２に記載の方法。
【請求項２４】
前記断熱ガラス・ユニットが複数の窓ガラス間空間を有し、前記方法がさらに、
第２ガス充填管を前記断熱ガラス・ユニットの第２窓ガラス間空間に挿入する段階と、
前記複数の断熱ガスの各々を前記断熱ガラス・ユニットの前記第２窓ガラス間空間に充填するそれぞれの量を決めるためのガス充填データを前記制御ユニットに与える段階と、
前記制御ユニットを使用して、前記複数の断熱ガスの各々の前記第２ガス充填管への流れを順に制御する段階であって、前記複数の断熱ガスの各々の前記流れが、前記制御ユニットによって、前記複数の断熱ガスの各々の前記ガス充填データに従った量をそれぞれ与えるように制御され、前記制御ユニットが前記第１窓ガラス間空間及び前記第２窓ガラス間空間を前記断熱ガスで同時に充填する、段階と
を含む、請求項２１に記載の方法。
【請求項２５】
前記制御ユニットは、タイマーを使用して、各断熱ガスの流れをいつ止めるかを決める、請求項２１に記載の方法。
【発明の詳細な説明】
【技術分野】
【０００１】
本発明は、概して、断熱ガラス・ユニットの製造に関し、より詳細には、断熱ガラス・ユニットに断熱ガスを充填する方法及び装置に関する。
【背景技術】
【０００２】
より高い効率とエネルギーの節約を達成すべく、窓製造業者が製品の熱性能を改善し続けているために、断熱ガラス（ＩＧ）ユニット内の空気を、これに限定されないが、アルゴン（Ａｒ）、クリプトン（Ｋｒ）、又は、アルゴンとクリプトンを混合したものを含む、空気よりも重い不活性ガスと入れ替える傾向がある。アルゴン及びクリプトンは、ともに空気よりも密度が高いので、ＩＧユニットの断熱値（ｉｎｓｕｌａｔｉｎｇ  ｖａｌｕｅ）を上げる断熱ガスとして機能する。空気は、（標準温度及び圧力で）約１．２９グラム／リットルの密度を有する。これに対して、アルゴンは（標準温度及び圧力で）約１．７８グラム／リットルの密度を有し、現在のところ、価格が１リットル当たり０．０２ドルの範囲内である。一方、クリプトンは、（標準温度及び圧力で）約３．７４グラム／リットルの密度を有し、現在のところ、価格が１リットル当たり１ドルの範囲内である。アルゴンとクリプトンはどちらもＩＧユニットの熱性能を改善するが、アルゴンは、通常、幅の広い空隙（１２．７ｍｍ（１／２インチ）から１５．９ｍｍ（５／８インチ））で最も効率よく使用され、クリプトンは、通常、幅の狭い空隙（６．４ｍｍ（１／４インチ）から９．５ｍｍ（３／８インチ））で使用される。
【０００３】
アルゴンとクリプトンのいずれの断熱ガスも空気よりも重いため、断熱ガスがＩＧユニットを底部から満たすにつれ、断熱ガスはより軽い空気ガスをＩＧユニットの最上部へ押し上げ、ＩＧユニットの囲まれた空隙から押し出す。充填工程のある時点で、ＩＧユニットの底部近くに、大部分（９０％超）が空気ガスよりも重い部分（アルゴン、クリプトン、又は、２つのガスの混合）が存在し、ＩＧユニットの最上部近くに、大部分が空気である部分が存在する。断熱ガスの空気との界面では、空気と断熱ガスの両方を混ぜ合わせた混合物が存在する。ガスを混ぜ合わせた混合物は、断熱ガスの対流と、断熱ガスが入れ替わる空気に消散することとによって生じる。このために、ＩＧユニット内の空気の容積を、残っているものに対して１０％未満に薄めるためには、１５０％から５００％の断熱ガスを注入することが必要となりうる。充填率９０％が、ＩＧ製造産業で標準と認められるようになっている。
【０００４】
ＩＧユニットを断熱ガス（例えば、アルゴン、クリプトン、又は、アルゴンとクリプトンの組み合わせ）で充填するのに必要な時間は、以下の影響を受ける。（１）ＩＧユニット内の空隙の容積。（２）注入する断熱ガスの流速。（３）充填工程中の対流（これは、流速に左右される）。（４）充填工程中の消散（これは、ガスが互いにさらされる時間に左右される）。
【０００５】
断熱ガスをＩＧユニットのガラス板（「ガラス・ライト（ｇｌａｓｓ  ｌｉｔｅｓ）」としても知られている）の間にある空間に注入しやすくするために、２つの隣り合うガラス板を隔てるスペーサーに１つ又は２つの開口部又は穴を設けることが可能である。スペーサーに穴が１つだけあるＩＧユニットでは、穴がＩＧユニットの角部に、又は、角部の近くに配置される。ガラス板の間の空間に断熱ガスを注入するために、ＩＧユニットは、通常、縦向きに置かれ、穴をＩＧユニットの一番高いところに、又は、その近くに位置させる。既存の「シングル・ホール」ガス充填法は、いくつかの異なる形態をとることができ、これには、限定はしないが、（１）真空充填法、（２）高速充填法、及び、（３）低速充填（シングル・ホール）法が含まれる。以下、これらについて記載する。
【０００６】
真空充填：真空充填は、ＩＧユニット全体（又は、複数のＩＧユニット）を真空チャンバーに入れて行う。ある時間にわたって、（所望の充填率によるが）大部分の空気をガラス板の間の空間（すなわち、「窓ガラス間」空間）から抜き、そして、所望の断熱ガスで置き換える。この方法は信頼性が高いが、実施するのに費用がかかる。この点において、真空チャンバーの寸法が一定であるために、様々なサイズのＩＧユニットに対応するには複数の真空チャンバーが必要である。真空チャンバーがＩＧユニットに対して大きすぎれば、断熱ガスが、真空チャンバーの内側であるがＩＧユニットの外側である空間を充填するために、断熱ガスが高い率で無駄になる。真空チャンバーを稼働させるためのエネルギー・コストもまた高い。上記のいくつかの理由のために、真空充填法は、特注サイズのＩＧユニットの製造、又は、ジャスト・イン・タイム（ＪＩＴ）生産環境における標準サイズのＩＧユニットの製造に対しては実用的ではない。
【０００７】
高速充填：充填時間を最小にするために（生産能力の増大のみならず、人件費の低減につながる）、高速充填機はプローブを利用する。このプローブは、ＩＧユニットに挿入され、プローブの第１の部分から高速（例えば、毎分６から１０リットル）でガスを注入し、一方、プローブの第２の部分で排気ガスを注入速度と実質的に同じ速度で吸い出す。この高速充填法は、対流を引き起こすだけでなく、対流を助長する。ガスは混合されるために、吸引した排気ガスは酸素センサーに通し、この酸素センサーがガス内の酸素濃度を監視する。酸素は空気のおおよそ１／５（２０．９％）であるので、高速充填機は、吸引した排気ガスの酸素濃度が予め定められた目標濃度（例えば、ＩＧユニット内で断熱ガス９０％を達成するには、約０．９％の酸素）に達したときにガスの注入を止めるようにプログラムすることができる。高速充填法の利点は、人件費を低減し、生産能力を高め、且つ、特注サイズのＩＧユニットの製造と、ジャスト・イン・タイム（ＪＩＴ）生産環境における標準サイズのＩＧユニット製造の両方に適しているという点である。高速充填法の重大な欠点は、かなりの量の断熱ガス（つまり、２００％から５００％）を無駄にするという点である。このように断熱ガスを無駄にするので、高速充填法は、比較的高価なクリプトン・ガスを注入するには実用的ではない。
【０００８】
低速充填（シングル・ホール）：低速充填（シングル・ホール）法は、プローブ又は管をＩＧユニットの最上部にある穴に通して挿入することを伴い、この管は、ＩＧユニットの最も下の部分まで延在する。断熱ガスを低速で注入すれば、対流が最小となり、これにより、無駄になる断熱ガスの量が減る。これは、（クリプトンのような）比較的高価な断熱ガスが使用されている場合には有益である。低速充填（シングル・ホール）法の利点は、断熱ガスの損失が減少することである（通常、毎分３リットルの注入速度で７０％、毎分１リットルの注入速度で３５％未満である）。低速充填（シングル・ホール）法の欠点は、高い人件費、高い資本費（ｃａｐｉｔａｌ  ｃｏｓｔｓ）、及び、長い充填時間に起因して大きく下がる生産能力である。
【０００９】
２つの穴又は開口部を有するスペーサーを備えたＩＧユニットを充填するためには、通常、ＩＧユニットを縦向きに置いて、第１の穴をＩＧユニットの最上部のすぐ近くに配置し、第２の穴をＩＧユニットの底部のすぐ近くに配置する。既存の「２穴」ガス充填法は、いくつかの異なる形態をとることができ、これには、限定はしないが、以下に記載の方法１と２が含まれる。
【００１０】
方法１：第１のプローブをＩＧユニットの底部の穴に断熱ガスを注入するために挿入する。前述したように、アルゴン及びクリプトンのいずれも空気よりも重いので、これらのガスをＩＧユニットの底部に注入すると、これらのガスが置き換える空気とのこれらのガスの対流が最小になる。断熱ガスの注入速度は、時間を最小にするために上げることもできるし、無駄を最小にするように下げることもできる。第２のプローブはＩＧユニットの上部の穴に挿入し、ＩＧユニットからの排気ガスを吸引する。断熱ガスの注入は、吸引した排気ガスの酸素濃度が目的濃度に達したときに止める。
【００１１】
方法２：この方法では、プローブを１つだけ使用する。プローブは、ＩＧユニットの底部の穴に挿入する。断熱ガスは、空気よりも重いので、様々な流速で、予測可能な対流及び消散をして空気を追い出す。この方法はタイマーを使用し、このタイマーは、流速、対流、消散、及び、予測可能な無駄に基づいて設定される。この方法は、アルゴンが断熱ガスであるときに向いている。なぜならば、故意に溢れさせても費用がかさまないからである。しかしながら、（クリプトンのような）高価な断熱ガスを使用する場合は、この方法では、高価な断熱ガスの無駄と、ＩＧユニットを定められた最低レベルまで充填する必要性との間でバランスをとる必要がある。
【発明の概要】
【発明が解決しようとする課題】
【００１２】
本発明は、断熱ガラス・ユニットを断熱ガスで充填する方法及び装置であって、従来技術の欠点を克服し、追加の利点を与えるものを提供する。
【課題を解決するための手段】
【００１３】
本発明によれば、１つ又は複数の断熱ガラス・ユニットに少なくとも１つの断熱ガスを充填する方法であって、各々の上記断熱ガラス・ユニットが、スペーサーによって隔てられた隣り合うガラス板によって画定された少なくとも１つの窓ガラス間空間を有する、方法において、上記１つ又は複数の断熱ガラス・ユニットの各々の上記窓ガラス間空間にそれぞれのガス充填管を挿入する段階と、上記１つ又は複数の断熱ガラス・ユニットの各窓ガラス間空間に充填する上記断熱ガスの量を決めるためのガス充填データを制御ユニットに与える段階と、上記制御ユニットを使用して、上記ガス充填管への断熱ガスの流れを制御する段階であって、上記断熱ガスの流れが、上記制御ユニットによって、上記ガス充填データに従った上記断熱ガスの量が与えられるように制御される、段階と、上記ガス充填データに従って各々の上記窓ガラス間空間に断熱ガスを充填した後に、上記それぞれのガス充填管を各々の上記窓ガラス間空間から外す段階と、上記１つ又は複数の断熱ガラス・ユニットの、各々の上記窓ガラス間空間を密封する段階とを含む方法が提供される。
【００１４】
本発明の別の態様によれば、１つ又は複数の断熱ガラス・ユニットを少なくとも１つの断熱ガスで充填する装置であって、各々の上記断熱ガラス・ユニットが、スペーサーによって隔てられた隣り合うガラス板によって画定された少なくとも１つの窓ガラス間空間を有する、装置において、それぞれの断熱ガラス・ユニットを保持するための複数の保持位置を有する保持用ラックと、１つ又は複数の断熱ガスの供給源と、上記１つ又は複数の断熱ガスの供給源と流体連通できる複数のガス充填管であって、各保持位置と１つ又は複数のガス充填管が関連付けられている、ガス充填管と、上記断熱ガラス・ユニットの上記窓ガラス間空間の各々を充填する量の上記断熱ガスを上記複数のガス充填管に供給するようにプログラムされた制御ユニットであって、ガス充填データを使用して、上記断熱ガラス・ユニットの各々の上記窓ガラス間空間を充填する上記断熱ガスの量を決める、制御ユニットとを備える装置が提供される。
【発明の効果】
【００１５】
本発明の利点は、断熱ガラス・ユニットにガスを充填する方法及び装置であって、断熱ガラス・ユニット製造工程の効率を改善する方法及び装置を提供することである。
【００１６】
本発明の別の利点は、断熱ガラス・ユニットを充填する方法及び装置であって、断熱ガスの無駄を減らし、これにより、断熱ガラス・ユニットの製造コストを下げることができる方法及び装置を提供することである。
【００１７】
本発明のさらに別の利点は、断熱ガラス・ユニットを充填する方法及び装置であって、ＩＧ生産と統合された連続工程を提供することにより、断熱ガラス・ユニットを製造するのに必要な総時間を減らす方法及び装置を提供することである。
【００１８】
本発明のさらに別の利点は、断熱ガラス・ユニットを充填する方法及び装置であって、断熱ガラス・ユニットに断熱ガスを充填するのに必要な労働力を減らすことができる方法及び装置を提供することである。
【００１９】
本発明のさらに別の利点は、断熱ガラス・ユニットを充填する方法及び装置であって、ガス充填工程の自動化及び生産能力を高めることができる方法及び装置を提供することである。
【００２０】
本発明のさらに別の利点は、断熱ガラス・ユニットを充填する方法及び装置であって、ガス充填工程の監視及び確認を改善できる方法及び装置を提供することである。
【００２１】
本発明のさらに別の利点は、断熱ガラス・ユニットを充填する方法及び装置であって、断熱ガラス・ユニットの製造に必要とされる空間を効率よく利用できる方法及び装置を提供することである。
【００２２】
本発明のさらに別の利点は、断熱ガラス・ユニットを充填する方法及び装置であって、断熱ガラス・ユニットの複数の空隙を同時に充填できる方法及び装置を提供することである。
【００２３】
本発明のさらに別の利点は、断熱ガラス・ユニットを充填する方法及び装置であって、手動及び自動の製造工程のいずれにも適用できる方法及び装置を提供することである。
【００２４】
これらの利点及び他の利点は、以下の好ましい実施例の記載を添付図面及び添付した特許請求の範囲とともに参照することにより明らかになるであろう。
【００２５】
本発明は、特定の部品及び部品の配列で物理的な形態をとることがあり、この物理的な形態の好ましい実施例を明細書に詳細に記載し、且つ、明細書の一部を構成する添付図面に図示する。
【図面の簡単な説明】
【００２６】
【図１】断熱ガラス・ユニットを製造するためのシステムを図示するブロック図である。
【図２】本発明の実施例によるガス充填・密封ステーションの構成要素を図示する模式図である。
【図３】本発明の実施例によるガス充填・密封ステーションの支持組立体の斜視図である。
【図４】図３に示した支持組立体の正面図である。
【図５】図３に示した支持組立体の上面図である。
【図６】本発明との関連で使用される断熱ガラス・ユニットの一部の拡大斜視図である。
【図７】本発明の代替実施例によるガス充填・密封ステーションの斜視図である。
【発明を実施するための形態】
【００２７】
以下、本発明の好ましい実施例を説明する目的だけに示されており、本発明を限定することが目的で示しているのではない図面を参照すると、図１は、断熱ガラス・ユニット（ＩＧＵ）の製造に使用するシステム９を示している。システム９は、限定はしないが、中央コンピューター１０、ガラス切断ステーション１２、ガラス洗浄ステーション１４、スペーサー組立ステーション１６、加熱ローラー加圧ステーション１８、及び、ガス充填・密封ステーション２０を含む。システム９が、ＩＧＵの製造に使用されるものとして当業者に公知の数多くの異なるシステムの１つを図示するということは言うまでもない。図９は、説明目的のためだけに示されており、本発明を限定するものと解釈してはならない。
【００２８】
中央コンピューター１０は、ステーション１２、１４、１６、１８及び２０に設置されたコンピューターと通信をしており、ＩＧＵの生産を計画するスケジュール管理ソフトを有するプラント情報システム（Ｐｌａｎｔ  Ｉｎｆｏｒｍａｔｉｏｎ  Ｓｙｓｔｅｍ）を含むことが可能である。スケジュール管理ソフトは、ＩＧＵ製造のスケジュールを作成するのに使用され、様々な製造段階でＩＧＵの経過を追っている。ステーション１２、１４、１６、１８及び２０の各々において、コンピューター・モニター又は他の表示装置（不図示）が、現在製造されているＩＧＵと、現在のＩＧＵの前後にあるいくつかのＩＧＵとを含む生産スケジュールの一部を示す。中央コンピューター１０は、有線又は無線のネットワークを介して、ステーション１２、１４、１６、１８及び２０の１つ又は複数に設置されているコンピューターと通信する。
【００２９】
ガラス切断ステーション１２は、公知の方法で稼働され、ガラスの使用を最適化して、各ガラスシートが最大限利用されるようにする。ガラス切断装置（不図示）が、所与のガラスシートの切断図を生成し、この切断図、又は、関連する情報を中央コンピューター１０に提供する。中央コンピューター１０は、ガラスシートから断片を取る順番を決め、これに従ってＩＧＵを生産する順番を設定する。
【００３０】
搬送システム（不図示）が、切断したガラス片（ガラス板、又は、ガラス・ライトという）をガラス洗浄ステーション１４へ運ぶことが可能である。搬送システムの経路の途中で、ガラス板は、印刷されたラベルを貼り付ける装置、又は、レーザーで印を付ける装置のような識別情報マーキングシステム（不図示）を通過する。識別情報マーキングシステムは、各ガラス板に、１つ又は２つ以上のユニット識別子（例えば、２次元の、又は、データ・マトリックスのバーコード）を付ける。ユニット識別子は、シリアルナンバー及び／又は顧客番号のような情報を提供してもよい。視覚システム（例えば、バーコード・リーダー又はスキャナー）と併用すれば、ガラス板のユニット識別子により、ガラス板と関連するＩＧＵとをＩＧ製造工程の至る所で追跡することが可能になる。
【００３１】
洗浄したガラス板は、スペーサー組立ステーション１６に供給される。スペーサー組立ステーション１６では、２つ又は３つのガラス板を適当な大きさのスペーサーと組み合わせ、それぞれ、１つ又は２つの窓ガラス間空間（ｉｎｔｅｒｐａｎｅ  ｓｐａｃｅ）を有する断熱ガラス組立体を形成する。このガラス組立体は、次に、加熱ローラー加圧ステーション１８に供給され、この加熱ローラー加圧ステーション１８は、ガラス板を密封してＩＧＵにする。非対称な３枚ガラスのＩＧＵでは、中央の窓ガラスと第１窓ガラスとの間の窓ガラス間空間（例えば、幅１２．７ｍｍ（１／２インチ）から１５．９ｍｍ（５／８インチ））が中央の窓ガラスと第２窓ガラスとの間の窓ガラス間空間（例えば、幅６．４ｍｍ（１／４インチ）から９．５ｍｍ（３／８インチ））よりも大きくなるように、２つのスペーサーが異なる寸法を有する。本発明が、後述するように、２つ以上の窓ガラスから構成されるＩＧＵ（例えば、二重窓ガラス、三重窓ガラス、及び、四重窓ガラス）の製造に関連する用途に適するということは言うまでもない。
【００３２】
図６は、第１窓ガラス１０２、中央窓ガラス１０４、及び、第２窓ガラス１０６から構成される３枚ガラスのＩＧＵ１００を示している。第１スペーサー１０３が、第１窓ガラス１０２と中央窓ガラス１０４との間に設置され、第１窓ガラス間空間を画定しており、第２スペーサー１０５が、中央窓ガラス１０４と第２窓ガラス１０６との間に設置され、第２窓ガラス間空間を画定している。第１及び第２のスペーサー１０３、１０５は、以下に説明するように、それぞれの窓ガラス間空間に断熱ガスを注入するためのそれぞれの穴１０３ａ、１０５ａを有する。ユニット識別子１０８が、第２窓ガラス１０６に示されている。
【００３３】
搬送システム（不図示）が、組み立てたＩＧＵをガス充填・密封ステーション２０まで運んでもよい。ガス充填・密封ステーション２０では、ＩＧＵの各窓ガラス間空間内の空気が、ＩＧＵの熱特性を改善するために、アルゴン及び／又はクリプトンのような断熱ガスと入れ替えられる。窓ガラス間空間にアクセスできるようにするスペーサーの穴又は開口部は、ＩＧＵを断熱ガスで充填した後に閉じられ、これにより窓ガラス間空間を密封する。本発明は、ガス充填作業及び密封作業を実行するための改良された方法及び装置に関するものであり、以下に詳述する。
【００３４】
窓に関連して使用されるＩＧＵの製造を参照しながら本発明を説明するが、本発明に係る方法及び装置を使用して製造されたＩＧＵは、他の種類の明かり取り（ｆｅｎｅｓｔｒａｔｉｏｎ）システムに関連して使用されてもよく、このような明かり取りシステムには、限定はしないが、ドア、天窓等が含まれるということが考えられる。さらに、本明細書では、本発明の一実施例を説明するために、本発明をアルゴン及びクリプトン・ガスについて記載したが、ＩＧＵの製造において、当業者に公知の他のガス（例えば、キセノン（Ｘｅ）及び六フッ化硫黄）が、空気と置換されてもよいということは言うまでもない。したがって、本発明は、アルゴン及びクリプトン・ガスのみでの使用に限定されず、ＩＧＵでの使用に適した他のガスとの関連で使用されてもよい。
【００３５】
次に図２を参照すると、図２には、本発明の実施例によるガス充填・密封ステーション２０の模式図が示されている。図示の実施例において、ステーション２０は、充填工程コントローラー３０、アルゴン供給源４６、クリプトン供給源４８、メイン・マニホルド６２、複数のガス分配システム７０（ユニット１〜８）、及び、支持構造体又は組立体１１０を含んでいる。
【００３６】
図示の実施例では、クリプトン供給源４８が通常の電子重量計３８に設置されており、電子重量計３８は、クリプトン供給源４８の重量を監視し、重量データをコントローラー３０に通知する。アルゴン供給源４６は、アルゴン・ガスの供給源、又は、アルゴン・ガスを生成するために気化させる液体アルゴンの供給源であることが可能である。図示の実施例では、クリプトン供給源４８と付随する重量計３８、メイン・マニホルド６２、及び、ガス分配システム７０が、後述するように、支持組立体１１０に取り付けられている。
【００３７】
充填工程コントローラー３０は、ステーション２０の後述する構成要素と通信をするコントロールユニットである。図示の実施例では、制御装置３０は、中央コンピューター１０とも（例えば、無線通信リンクによって）通信をしている。充填工程コントローラー３０は、通常のプログラム可能論理制御装置（ＰＬＣ）又はパーソナル・コンピューターという形態をとってもよい。電力供給源３１は、コントローラー３０に電力を供給する。ユーザー・インターフェイス３２により、ステーション２０にいるオペレーターは、コントローラー３０と通信をすることができる。この点において、ユーザー・インターフェイス３２は、入力装置（例えば、キーボード、マウス、又は、タッチスクリーン）と、出力装置（例えば、表示モニター）とを含んでいてもよい。スキャナー３４もまた、コントローラー３０に接続されていることがあり、以下に詳述するように、ＩＧＵ、位置、及び、他のデータを特定する符号化されたデータ（例えば、バーコード等）を読み取る。
【００３８】
アルゴン供給源４６及びクリプトン供給源４８は、それぞれの流入導管５２及び５４を介してメイン・マニホルド６２と流体連通している。メイン・マニホルド６２は、アルゴン・ガス及びクリプトン・ガスを複数の流出導管６４ａ、６４ｂの組を通してそれぞれ分配する。流出導管６４ａ、６４ｂの各対は、それぞれのガス分配システム７０と流体連通している。図２に示されている実施例では、８つの別個のガス分配システム７０（ユニット１〜８）がある。本発明の実施例を簡潔に図示するために、第１のガス分配システム７０（ユニット１）のみを詳細に示した。
【００３９】
各ガス分配システム７０は、サブ・マニホルド７２、複数の弁７６ａ、７６ｂの対、及び、複数の流量制御ユニット８０ａ、８０ｂの対から構成されている。図示の実施例では、各ガス分配システム７０が、３セットの弁７６ａ、７６ｂの対（弁Ａ〜Ｂ、Ｃ〜Ｄ、及び、Ｅ〜Ｆとして特定されている）と、３セットの流量制御ユニット８０ａ、８０ｂの対（流量制御ユニットＡ〜Ｂ、Ｃ〜Ｄ、及び、Ｅ〜Ｆとして特定される）とを有する。弁７６ａ及び７６ｂは、それぞれの流出導管７４ａ及び７４ｂを介して、サブ・マニホルド７２と流体連通している。弁７６ａ、７６ｂは、アルゴン・ガス又はクリプトン・ガスを流量制御ユニット８０ａ、８０ｂに流入導管７８ａ、７８ｂを介して供給するか否かを選択するために、コントローラー３０によって制御されている。弁７６ａ、７６ｂは、好ましくは電磁弁である。
【００４０】
流量制御ユニット８０ａは、流入導管７８ａを介して、弁７６ａと流体連通している。同様に、流量制御ユニット８０ｂは、流入導管７８ｂを介して、弁７６ｂと流体連通している。流量制御ユニット８０ａ、８０ｂは、通常の流量調節弁及び流量計から構成されている。流量調節弁は、アルゴン・ガス又はクリプトン・ガスの流量又は圧力をコントローラー３０から受信した信号に従って調節し、また、流量計によって生成され、測定したガス流量を示すフィードバック信号に反応する。コントローラー３０は、信号を流量調節弁へ送信して、所望のガス流速（例えば、１リットル／分）を達成する。
【００４１】
それぞれの充填管９０ａ及び９０ｂが、流量制御ユニット８０ａ及び８０ｂの出口に流体連通されている。充填管９０ａ、９０ｂは、ガスを分配するために、充填管９０ａ、９０ｂの遠位端にノズル９２ａ、９２ｂをそれぞれ含んでいる。
【００４２】
当然のことながら、ガス分配システム７０の数は、望ましい生産能力に応じて様々でありうる。同様に、各ガス分配システム７０を構成する弁及び流量制御ユニットの数も、望ましい生産能力に応じて様々でありうる。さらに、本発明の代替実施例では、メイン・マニホルド６２を直接弁７６ａ、７６ｂの対に接続するように修正し、これにより、サブ・マニホルド７２の必要性をなくしてもよいとも考えられる。
【００４３】
図３〜５に示した本発明の実施例では、支持組立体１１０が、固定台座１１２、回すことができる回転台座１４０、中央組立体１６０、及び、複数の保持用ラック１７０からおおむね構成されている。
【００４４】
固定台座１１２は、１対の横向きクロス梁１１４Ａ、１１４Ｂ、縦支柱１２２、及び、横支柱１２６を含む。高さ調整可能な脚部１１６が、床からの固定台座１１２の高さを調整するために、クロス梁１１４Ａ、１１４Ｂの下部から延在している。縦支柱１２２は、クロス梁１１４Ａから上方へ延在している。筐体１２４は、電力供給源３１を含んでおり、図示の実施例では、縦支柱１２２に取り付けられている。内側を向いている横支柱１２６は、縦支柱１２２の上端から延在している。横支柱１２６の自由端又は遠位端は、概して固定台座１１２の中心の上に配置されている。図示の実施例では、メイン・マニホルド６２が横支柱１２６の遠位端に取り付けられている。回転式ガス接続具１２８が、離れたところに設置されたアルゴン供給源４６からの流入導管５２を受け入れるために、横支柱１２６の遠位端に設置されている。アルゴン供給源４６は、アルゴン・ガス、又は、気化されて気体のアルゴンを形成する液体アルゴンを含有する円筒の形態をしていてもよい。
【００４５】
回転台座１４０は、固定台座１１２にベアリング１１８で取り付けられており、ベアリング１１８により、回転台座１４０は、軸線の周りに、固定台座１１２に対して回転することができる。図示の実施例では、回転台座１４０が複数の外側フレーム部材１４２を含み、この外側フレーム部材１４２は、八角形状の枠体を形成している。
【００４６】
モーター４０が、伝動装置（不図示）を介して回転台座１４０を回転させる。例えば、伝動装置は、ギアボックス、チェーン、及び、スプロケットから構成されていてもよい。本発明の一実施例では、回転台座１４０にスリップ・リングを介して力が伝動される。モーター４０は、コントローラー３０と通信を行うモーター駆動装置３６によって制御される。モーター駆動装置３６は、回転台座１４０を様々な速度で回すことができる可変周波数モーター駆動装置という形態をしていてもよい。コントローラー３０は、回転台座１４０についての所望の回転速度を示す信号を、モーター駆動装置に送信する。電力供給源３１は、モーター４０及びモーター駆動装置３６に電力を供給する。
【００４７】
図示の実施例において、回転台座１４０は、クリプトン供給源４８も支持している。したがって、クリプトン供給源４８は、回転台座１４０とともに回転する。クリプトン供給源４８は、重量データをコントローラー３０へ送信する電子式重量計３８上に設置されてもよい。図示の実施例において、クリプトン供給源４８は、ガスボンベの形態をしている。当然のことながら、アルゴン供給源４６及び／又はクリプトン供給源４８は、回転台座１４０に設置されてもよい。
【００４８】
中央組立体１６０は、回転台座１４０に取り付けられており、複数の、上方へ延在する中央支柱１６２と、中央支柱１６２の上端に設置された上側フレーム１６４とから構成されている。充填工程コントローラー３０を収めるために、筐体１６８を中央組立体に取り付けてもよい。
【００４９】
複数の保持用ラック１７０もまた、回転台座１４０に取り付けられている。図示のように、各保持用ラック１７０は、床板１８８、上方に延在する縦フレーム部材１７２、横フレーム部材１７４、及び、横フレーム部材１７４と、中央組立体１６０の上側フレーム１６４との間に延在する接続アーム１７８を含む。図示の実施例では、複数の筐体８４が接続アーム１７８に取り付けられている。各筐体８４には、前述したガス分配システム７０が収められている。各保持用ラック１７０はまた、複数の縦ロッド１８２を含み、この縦ロッド１８２は、横フレーム部材１７４と外側フレーム部材１４２との間に延在している。縦ロッド１８２及び縦フレーム部材１７２は、複数のスロット１８６を画定し、このスロット１８６は、ガス充填作業のためにＩＧＵ１００を受け入れるような寸法に作られている。したがって、スロット１８６は、ＩＧＵ１００の保持位置としての役割を果たす。床板１８８は、スロット１８６に挿入されたＩＧＵ１００のための支持面となる。各スロット１８６は、二重窓ガラスＩＧＵ（１つの窓ガラス間空間）又は三重窓ガラスＩＧＵ（２つの窓ガラス間空間）の窓ガラス間空間を同時に充填するための関連する２つの充填管９０ａ、９０ｂを有する。位置識別子１４８を各々のスロット１８６に関連付け、保持している場所、つまり、保持用ラック１７０の具体的なスロット１８６の位置を一意に特定できるようにしてもよい。図示の実施例では、位置識別子１４８が外側フレーム１４２に設けられている。
【００５０】
当然のことながら、保持用ラック１７０は、示した形態とは別の形態であってもよい。したがって、図示の保持用ラック１７０は、本発明を限定するものと解釈してはならない。
【００５１】
電気・電子部品の間を相互につなぐ配線にとって便利な通り道を提供するために、支持組立体１１０を構成する構造部品の内部に配線導管を設けてもよい。
【００５２】
図３〜５に図示した本発明の実施例では、支持組立体１１０は、最大生産能力が２４個のＩＧＵ１００となるように構成されている。しかしながら、支持組立体１１０の寸法は、最大生産能力を増やしたり、減らしたりするように修正できると考えられる。
【００５３】
以下、本発明の実施例によるガス充填・密封工程を図２〜６を参照しながら記載する。ＩＧＵ１００を組み立てた後、ＩＧＵ１００を、ガス充填・密封ステーション２０に移す（図１）。同じオペレーターが、ＩＧＵ１００を支持組立体１１０に置き、そして、ガス充填管をＩＧＵ１００に挿入することができ、これにより、ガス充填作業に必要なオペレーターの人数を最小限にすることができると考えられる。
【００５４】
ステーション２０では、オペレーターがスキャナー３４を使ってＩＧＵ１００に関連付けられたユニット識別子コード１０８を走査する。オペレーターは、保持用ラック１７０のスロット１８６を選び、選んだスロット１８６に関連付けられた位置識別子１４８を走査する。次に、オペレーターは、ＩＧＵ１００を選んだスロット１８６に設置する。したがって、コントローラー３０には、支持組立体１１０においてＩＧＵ１００が保持されている具体的な保持位置を示すデータが与えられる。
【００５５】
中央コンピューター１０にはデーターベースがあり、このデーターベースは、限定はしないが、以下の項目のガス充填データのうちの１つ又は複数を含みうる。
ａ．各ＩＧＵ１００のユニット識別子１０８
ｂ．各ＩＧＵ１００の長さ、幅、及び、窓ガラス間空間の厚さ
ｃ．各ＩＧＵ１００の窓ガラス間空間の容積
ｄ．各ＩＧＵ１００の各窓ガラス間空間についてのガスの選択及びガス充填手順（例えば、アルゴン・ガスのみを充填、クリプトン・ガスのみを充填、又は、アルゴン・ガスを充填してからクリプトン・ガスを充填）
ｅ．各ＩＧＵ１００の窓ガラス間空間を充填するのに使用するアルゴン及び／又はクリプトン・ガスの容量
ｆ．各ＩＧＵ１００の窓ガラス間空間について望ましいアルゴン及び／又はクリプトン・ガスの濃度
ｇ．アルゴン及び／又はクリプトン・ガスの望ましいガス流速、及び
ｈ．各ＩＧＵ１００の窓ガラス間空間についてのアルゴン及び／又はクリプトン・ガスの充填時間
【００５６】
図示の実施例では、中央コンピューター１０が、コントローラー３０に、各ＩＧＵ１００の窓ガラス間空間を所望量のアルゴン及び／又はクリプトン・ガスで充填するのに必要なガス充填データを与える。例えば、コントローラー３０が、中央コンピューター１０に、スキャナー３４を使用して走査したＩＧＵ１００のユニット識別子１０８を送信する。次に、中央コンピューター１０は、コントローラー３０に、受信したユニット識別子１０８に対応するＩＧＵ１００に関する以下のガス充填データを与える。すなわち、ＩＧＵ１００の長さ、幅、及び、窓ガラス間空間の厚さ；ＩＧＵ１００の窓ガラス間空間についてのガスの選択及び充填手順；並びに、各ガスの望ましいガス流速である。コントローラー３０は、長さ、幅、及び、窓ガラス間空間の厚さを使用してＩＧＵ１００の窓ガラス間空間の容積を決め、ガス流速及び決めた容積を使用してガス充填時間を決める。コントローラー３０は、タイマーを使用して、決めたガス充填時間に従い、ガス充填作業がいつ完了するかを決める。
【００５７】
次に、図２、３及び６を参照して、ガス充填工程を、ユニット１のガス分配システム７０に関連付けられたスロット１８６の中に設置されたＩＧＵ１００について詳述する（図３）。前述したように、ガス分配システム７０は、サブ・マニホルド７２と、弁７６ａ（弁Ａ）、７６ｂ（弁Ｂ）と、流量制御ユニット８０ａ（流量制御装置Ａ）、８０ｂ（流量制御装置Ｂ）とを含む。オペレーターは、充填管９０ａを穴１０３ａに通して挿入し（図６）、ノズル９２ａを、第１窓ガラス間空間１０１ａの下端のすぐ近くに、図２に示すように配置する。同様に、オペレーターは、充填管９０ｂを穴１０５ａに通して挿入し（図６）、ノズル９２ｂを、第２窓ガラス間空間１０１ｂの下端のすぐ近くに、図２に示すように配置する。図示の実施例では、穴１０３ａ、１０５ａの直径が、充填管９０ａ、９０ｂの直径よりも大きい。したがって、窓ガラス間空間１０１ａ及び１０１ｂの内部で置き換えられる空気は、穴１０３ａ、１０５ｂを通って流出する。ＩＧＵ１００のスペーサー１０３及び１０５が、窓ガラス間空間１０１ａ及び１０１ｂから、空気を除去するための吸引装置（不図示）の吸引管を受け入れるための追加の穴を有してもよいということは言うまでもない。
【００５８】
充填管９０ａ、９０ｂをそれぞれの窓ガラス間空間１０１ａ、１０１ｂに挿入した後、オペレーターは、ユーザー・インターフェイス３２を使用して、コントローラー３０に、ガス充填を開始するように命令する。ＩＧＵ１００を支持組立体１１０に積み込み、且つ、ガス充填管９０ａ、９０ｂをそれぞれの窓ガラス間空間１０１ａ、１０１ｂに挿入した後は、オペレーターは、ガス充填に注意を払う必要がない。この点において、コントローラー３０が受信したガス充填データは、各ＩＧＵ１００の窓ガラス間空間についての望ましいガスの選択及び充填手順を示す。各窓ガラス間空間は、アルゴンのみ、クリプトンのみ、又は、アルゴンとクリプトンの組み合わせで充填してもよい。アルゴンとクリプトンを組み合わせて使用する場合、窓ガラス間空間をアルゴンで最初に充填し（「先充填」）、そして、その後にクリプトンで充填する（「後充填」）。これに関しては、コントローラー３０が弁７６ａ、７６ｂに信号を送信して、流量制御装置８０ａ、８０ｂを所望のガス供給源４６（アルゴン）及び４８（クリプトン）に流体連通させる。窓ガラス間空間をアルゴン・ガスとクリプトン・ガスの両方で充填する場合、コントローラー３０は、弁７６ａ、７６ｂに信号を適当な時間に送信して、弁７６ａ、７６ｂのアルゴン供給源４６との流体連通を切断し、弁７６ａ、７６ｂをクリプトン供給源４８と流体連通させる。
【００５９】
コントローラー３０は、ユニット識別子１０８、位置識別子１４８、及び、中央コンピューター１０から受信したガス充填データを使用して、弁７６ａ、７６ｂを操作し、アルゴン又はクリプトン・ガスを選択する。コントローラー３０は、ガス充填データに従い、流量制御ユニット８０ａ、８０ｂの流量調節弁及び流量計を使用して、ガスの流れを調節する。この点で、コントローラー３０は、流量制御ユニット８０ａ、８０ｂに信号を送信して、所望のガス流速（例えば、１リットル／分）を達成する。先に指摘したように、コントローラー３０は、アルゴン又はクリプトン・ガスの充填時間を監視するためのタイマーを含んでいてもよい。例えば、コントローラー３０は、タイマーと、既知のガス流速（リットル／分）を使用して、適切な量のガスがＩＧＵ１００の窓ガラス間空間に分配された時間を決定してもよい。
【００６０】
窓ガラス間空間１０１ａ、１０１ｂ内のガス濃度を決める又は確認するために、通常の酸素センサー（不図示）を使用して、ガス充填作業中にＩＧＵ１００の窓ガラス間空間から追い出された空気の酸素濃度を監視してもよい。ＩＧＵ１００の窓ガラス間空間内のガス濃度はまた、ガス充填作業を終了した後に、窓ガラス間空間内のガスを「サンプリング」することによって決める又は確認してもよい。この点で、ガスは、熱伝導率センサー（不図示）、光学的ガス検出装置、又は、他の公知のガスセンサーのようなガス濃度検出装置を使用してサンプリングされる。具体的に特定されたＩＧＵ１００のガスのサンプルを取るように、コントローラー３０がオペレーターに対して指示を定期的に表示することによって、サンプリング作業が開始されてもよい。
【００６１】
図示の実施例では、窓ガラス間空間１０１ａ、１０１ｂに同時にガスを充填する。さらに、複数のＩＧＵ１００が支持組立体１１０に積み込まれている場合には、各ＩＧＵ１００のそれぞれの窓ガラス間空間に、全て同時にガスを充填してもよいということが考えられる。このようにして、ＩＧＵ１００がスロット１８６内で保持され、回転台座１４０が回っている間に、複数のＩＧＵ１００の窓ガラス間空間に、アルゴン及び／又はクリプトン・ガスを同時に充填してもよい。
【００６２】
本発明の一実施例では、コントローラー３０が、モーター駆動装置３６を操作して、回転台座１４０を（例えば、毎分約１回転の回転速度で）連続的に回転させる。当然のことながら、回転台座１４０の回転速度は、所望の処理速度に合うように変えられてもよい。これに関し、回転台座１４０の回転速度は、ＩＧＵ製造ラインの速度に合うように選択されてもよい。
【００６３】
ガス充填作業が終了した後、ガス充填管を窓ガラス間空間から外し、スペーサーの穴を当業者に公知の方法で閉じて、窓ガラス間空間を気密に密封する。ガス充填作業の間に回転台座１４０を回転させることにより、ＩＧＵ１００が、ガス充填作業の終了時に、窓ガラス間空間からガス充填管を外すオペレーターのすぐ近くに配置される。この同じオペレーターが、スペーサーの穴を閉じて窓ガラス間空間を密封し、ガス充填済みＩＧＵを支持組立体１１０から外し、ガス充填済みＩＧＵを保持用ラック（例えば、通常のハープ・ラック（ｈａｒｐ  ｒａｃｋ）等）に、さらに処理、保管又は出荷のために積み込む。
【００６４】
前述したように、本発明の一実施例では、クリプトン供給源４８の重量が電子重量計３８で監視される。電子重量計３８は、重量データをコントローラー３０に送信する。この重量データは、コントローラー３０及び／又は中央コンピューター１０が、クリプトン・ガスの実際の使用量を決めること、生産損失を決めること、及び、漏れを監視することに使用することができる。この点で、クリプトン・ガスの実測消費量（Ｗｃ）は、（１）クリプトン供給源３８でのクリプトン・ガスの初期重量（Ｗｉ）と、（２）クリプトン供給源３８でのクリプトン・ガスの、操業時間（ｏｐｅｒａｔｉｎｇ  ｓｈｉｆｔ）（例えば、毎日の操業）の終わりにおける重量（Ｗｅ）との間の差を計算して決める。実測消費量（Ｗｃ）はまた、理論消費値と比較して、システム効率を評価したり、システムの不正常な動作を特定したりすることもできる。コントローラー３０は、数回の操業時間について実測消費量（Ｗｃ）を保存して、データ報告書を作成してもよい。
【００６５】
実際の生産損失は、クリプトン・ガスの実測消費量（Ｗｃ）をある操業時間内に製造したＩＧＵの数と比較することにより決めてもよい。さらに、ガス漏れは、第１期間（例えば、第１操業時間）の終了時のクリプトン供給源３８でのクリプトン・ガスの重量を、第２期間（例えば、その次の第２操業時間）の開始時のクリプトン供給源３８でのクリプトン・ガスの重量と比較することにより決められる。
【００６６】
さらに、コントローラー３０は、特定のＩＧＵに挿入されたガスの実測量を示すデータを保存してもよいということも考えられる。このようなデータは、統計的工程管理（ＳＰＣ）品質プログラム、又は、保証プログラム（ｃｅｒｔｉｆｉｃａｔｉｏｎ  ｐｒｏｇｒａｍ）の一部として使用し、顧客に、ＩＧＵの窓が、公表した断熱値を満たすことを保証してもよい。
【００６７】
上述した実施例では、ユニット識別子１０８及び位置識別子１４８が、コントローラー３０に、スキャナー３４を使用した自動処理で入力される。しかし、ユニット識別子１０８及び位置識別子１４８をコントローラー３０に手動処理で入力しうるということも考えられる。この点において、オペレーターは、キーボード又はタッチスクリーンを使用して、ユニット及び位置の識別情報をコントローラー３０に入力する。ユニット識別情報は、印刷された予定表、又は、ビデオモニターに表示された予定表で、オペレーターに提供される。場所情報は、印刷したラベルでオペレーターに提供される。
【００６８】
さらに、本発明は、別の構成にして、コントローラー３０（及び関連する構成要素）が、中央コンピューター１０から独立した「スタンドアローン」システムとして動作するようにしてもよい（例えば、中央コンピューター１０は省略してもよい）ということも考えられる。この実施例では、中央コンピューター１０に保存するガス充填データをコントローラー３０に保存してもよい。或いは、オペレーターが、ガス充填データをコントローラー３０に「手動」処理で直接入力してもよい。例えば、各ＩＧＵ１００について、オペレーターが、コントローラー３０に、長さ、幅、及び、窓ガラス間空間の厚さ、ガスの選定及び充填手順、並びに、ガス流速を直接入力してもよい。前述したように、コントローラー３０は、先のガス充填データを使用して、窓ガラス間空間の容積、及び、ガス充填時間を決める。オペレーターは、ガス充填データをコントローラー３０に、タッチスクリーン、キーボード、携帯型記憶装置（例えば、フラッシュ・ドライブ）、バーコード・スキャナー等の装置を使用することにより、直接入力してもよい。
【００６９】
次に図７を参照すると、本発明の代替実施例が示されている。この代替実施例の構成要素であって、前述した実施例の構成要素と同様のものには、同じ参照番号が付与されている。代替実施例は、１つ又は複数の固定支持組立体２１０を含む。支持組立体２１０は、台座２１２、複数の縦支柱２１４、上側フレーム２１６、及び、ほぼ平坦な棚板２１８からおおむね構成されている。台座２１２は、床にボルト締めされていてもよい。筐体８４は、上側フレーム２１６に取り付けられており、前述したようにガス分配システム７０が収められる。ガス分配システム７０は、コントローラー３０に、前述したのと同様の方法で操作可能に接続されている。当然のことながら、２つ以上のガス分配システム７０を提供できるように、２つ以上の筐体８４を上側フレーム２１６に取り付けてもよい。これにより、多数のＩＧＵ１００に同時にガスを充填することができる。
【００７０】
アルゴン供給源４６及びクリプトン供給源４８は、棚板２１８によって支持されている。本発明の第１実施例に関連して記載したように、クリプトン供給源４８は、コントローラー３０に重量データを提供する電子重量計３８上に配置されてもよい。図示の実施例において、アルゴン供給源４６及びクリプトン供給源４８は、ガスボンベの形態をとっている。通常の可動式ハープ・ラック２３０のような保持用ラック等を使用して、ＩＧＵ１００をガス充填作業中に保持する。ハープ・ラック２３０は、ハープ・ラック２３０を所望の場所に都合よく動かせるように、複数の車輪２３２を含む。ハープ・ラック２３０はまた、位置識別子１４８を含んでいてもよく、この位置識別子１４８は、保持位置としての役割を果たすスロット１９６に関連付けられている。ガス充填作業時には、ハープ・ラック２３０は、支持組立体２１０のすぐ近くに移動させられる。ガス充填作業が終了した後、ガス充填管を窓ガラス間空間から外し、スペーサーの穴を閉じて、窓ガラス間空間を気密に密封する。
【００７１】
当然のことながら、前述した自動制御装置を使用することにより、且つ、アルゴン・ガスとクリプトン・ガスを組み合わせて使用するガス充填作業中の充填管の交換をなくすことにより、（従来のクリプトン９０％及び空気１０％に合うように）所望のクリプトン充填率を達成しながら、クリプトンの無駄を０％から１０％にすることができる。このように、本発明は、ガス及び労働の両方のコストを著しく減らすことができる。
【００７２】
本明細書を読み、理解することにより、他の修正及び変更を思いつくであろう。特許請求された本発明の範囲に入る限り、又は、その均等物である限り、このような修正及び変更の全てが含まれるということが意図されている。
【図１】
2013534901.tif 000002
【図２】
2013534901.tif 000003
【図３】
2013534901.tif 000004
【図４】
2013534901.tif 000005
【図５】
2013534901.tif 000006
【図６】
2013534901.tif 000007
【図７】
2013534901.tif 000008
【国際調査報告】
2013534901.tif 000009
2013534901.tif 000010
2013534901.tif 000011